(57)【要約】【課題】良好な操作性を実現するタッチパネルを提供する。【解決手段】タッチパネルは、操作入力が行われる操作面を有するパネルと、前記パネルの前記操作面とは反対の面側において、平面視で前記操作面のうちの第１領域に配置され、前記第１領域への前記操作入力の座標を検出する抵抗膜式の第１座標検出部と、前記パネルの前記操作面とは反対の面側において、平面視で前記操作面のうちの前記第１領域を除いた第２領域に配置され、前記第２領域への前記操作入力の座標を検出する静電容量式の第２座標検出部とを含む。【選択図】図２
2016177663.tif 000002
【特許請求の範囲】
【請求項１】
操作入力が行われる操作面を有するパネルと、
前記パネルの前記操作面とは反対の面側において、平面視で前記操作面のうちの第１領域に配置され、前記第１領域への前記操作入力の座標を検出する抵抗膜式の第１座標検出部と、
前記パネルの前記操作面とは反対の面側において、平面視で前記操作面のうちの前記第１領域を除いた第２領域に配置され、前記第２領域への前記操作入力の座標を検出する静電容量式の第２座標検出部と
を含む、タッチパネル。
【請求項２】
透明な第１基板と、
前記第１基板の表面に設けられる透明な第１導電膜と、
前記第１導電膜に対向して配置される透明な第２基板と、
前記第２基板の前記第１基板に対向する対向面に設けられる透明な第２導電膜と
を含み、
平面視における前記第１領域では、前記第１導電膜及び前記第２導電膜は前記第１領域の全体に形成されて前記第１座標検出部を構築し、
平面視における前記第２領域では、前記第１導電膜が第１軸方向に伸延するストライプ状にパターニングされるとともに、前記第２導電膜が第２軸方向に伸延するストライプ状にパターニングされて前記第２座標検出部を構築する、請求項１記載のタッチパネル。
【請求項３】
前記第１領域内において、前記第１導電膜の前記第２導電膜に対向する第１対向面、又は、前記第２導電膜の前記第１導電膜に対向する第２対向面に配設される、ドット状のスペーサをさらに含む、請求項２記載のタッチパネル。
【請求項４】
前記第１領域内で前記第１領域の端辺に沿って前記第１基板と前記第２基板とを貼り合わせるとともに、前記第２領域内の全体で前記第１基板と前記第２基板とを貼り合わせる貼り合わせ部材をさらに含む、請求項２又は３記載のタッチパネル。
【請求項５】
前記第１座標検出部は、
平面視で前記第１領域に配置される透明な第１基板と、
前記第１基板の表面に設けられる透明な第１導電膜と、
前記第１導電膜に対向して配置される透明な第２基板と、
前記第２基板の前記第１基板に対向する対向面に設けられる透明な第２導電膜と
を有し、
前記第２基板の前記対向面とは反対側の面は、前記パネルに貼り付けられており、
前記第２座標検出部は、
平面視で前記第２領域に配置される透明な第３基板と、
前記第３基板の表面に設けられ、第１軸方向に伸延するストライプ状の複数の透明な第３導電膜と、
前記第３導電膜に対向して配置される透明な第４基板と、
前記第４基板の前記第３基板に対向する対向面に設けられ、第２軸方向に伸延するストライプ状の複数の透明な第４導電膜と
を有し、
前記第４基板の前記対向面とは反対側の面は、前記パネルに貼り付けられている、請求項１記載のタッチパネル。
【請求項６】
前記第１導電膜の前記第２導電膜に対向する第１対向面、又は、前記第２導電膜の前記第１導電膜に対向する第２対向面に配設される、ドット状のスペーサをさらに含む、請求項５記載のタッチパネル。
【請求項７】
前記第１座標検出部は、
透明な第１基板と、
前記第１基板の表面に設けられる透明な第１導電膜と、
前記第１導電膜に対向して配置される透明な第２基板と、
前記第２基板の前記第１基板に対向する対向面に設けられる透明な第２導電膜と、
前記第２領域内で、前記第１導電膜の前記第２導電膜に対向する第１対向面、又は、前記第２導電膜の前記第１導電膜に対向する第２対向面の一面に配置される透明な第２領域絶縁層と
を有し、
前記第２座標検出部は、
透明な第３基板と、
前記第２領域内で前記第３基板の表面に設けられ、第１軸方向に伸延するストライプ状の複数の透明な第３導電膜と、
前記第３導電膜に対向して配置される透明な第４基板と、
前記第２領域内で前記第４基板の前記第３基板に対向する対向面に設けられ、第２軸方向に伸延するストライプ状の複数の透明な第４導電膜と
を有し、
前記第１座標検出部及び前記第２座標検出部は互いに重ね合わされており、前記第１座標検出部又は前記第２座標検出部のいずれか一方が前記パネルに貼り付けられる、請求項１記載のタッチパネル。
【請求項８】
前記第１座標検出部は、前記第２領域絶縁層が配置される前記第１対向面又は前記第２対向面の前記第１領域内に配置されるドット状の透明なスペーサをさらに有し、
前記スペーサは、前記第１領域及び前記第２領域の内部に形成される絶縁層のうちの前記第１領域内にある部分をパターニングすることによって形成され、
前記第２領域絶縁層は、前記絶縁層のうちの前記第２領域内にある部分がパターニングされずに残存した部分である、請求項７記載のタッチパネル。
【請求項９】
前記第２座標検出部は、
前記第１領域内で前記第３基板の表面の一面に設けられる透明な第５導電膜と、
前記第１領域内で前記第４基板の前記第３基板に対向する対向面に設けられる透明な第６導電膜と
をさらに有する、請求項７又は８記載のタッチパネル。
【請求項１０】
前記第１座標検出部は、前記第１基板及び前記第２基板の端辺に沿って前記第１基板と前記第２基板とを貼り合わせる第１貼り合わせ部材をさらに有し、
前記第２座標検出部は、前記第３基板と前記第４基板との全体を貼り合わせる透明な第２貼り合わせ部材をさらに有する、請求項５乃至９のいずれか一項記載のタッチパネル。
【発明の詳細な説明】
【技術分野】
【０００１】
本発明は、タッチパネルに関する。
【背景技術】
【０００２】
従来より、励起光を射出しかつ特定の領域に前記励起光の射出量を調整可能な光変調部と、前記光変調部に対向して配置された基板と、前記基板の前記光変調部の側に配置されるとともに、前記光変調部から射出された前記励起光が入射され、前記励起光を吸収して当該励起光とは異なる波長帯域を有する光を生じさせる蛍光体層と、少なくとも１つの位置検出用電極を有する情報入力部と、を含む表示装置がある。
【０００３】
前記情報入力部を構成する前記少なくとも１つの位置検出用電極は、前記基板の前記蛍光体層が配置された側、前記基板の前記蛍光体層が配置された側とは反対側のいずれか一方に配置されている。
【０００４】
前記情報入力部は静電容量方式、又は、抵抗膜方式のいずれか一方を採用している（例えば、特許文献１参照）。
【先行技術文献】
【特許文献】
【０００５】
【特許文献１】特開２０１４−１７８３４０号公報
【発明の概要】
【発明が解決しようとする課題】
【０００６】
ところで、静電容量方式は、フリック操作、又は、複数の点における操作入力（マルチタッチ）等の操作性に優れるという利点があり、抵抗膜方式は、例えば手袋を嵌めている場合のように素手ではない状態で操作入力が可能という利点がある。
【０００７】
しかしながら、従来の表示装置は、静電容量方式、又は、抵抗膜方式のいずれか一方を採用しているため、これら両方の利点を兼ね備えることができず、良好な操作性を実現できないという課題がある。
【０００８】
そこで、良好な操作性を実現するタッチパネルを提供することを目的とする。
【課題を解決するための手段】
【０００９】
本発明の実施の形態のタッチパネルは、操作入力が行われる操作面を有するパネルと、前記パネルの前記操作面とは反対の面側において、平面視で前記操作面のうちの第１領域に配置され、前記第１領域への前記操作入力の座標を検出する抵抗膜式の第１座標検出部と、前記パネルの前記操作面とは反対の面側において、平面視で前記操作面のうちの前記第１領域を除いた第２領域に配置され、前記第２領域への前記操作入力の座標を検出する静電容量式の第２座標検出部とを含む。
【発明の効果】
【００１０】
良好な操作性を実現するタッチパネルを提供することができる。
【図面の簡単な説明】
【００１１】
【図１】実施の形態１のタッチパネル１００を示す平面図である。
【図２】図１のＡ１−Ａ２矢視断面を示す図である。
【図３】実施の形態１のタッチパネル１００の一部を示す分解図である。
【図４】実施の形態２のタッチパネル２００を示す平面図である。
【図５】図４及び図６のＢ１−Ｂ２矢視断面を示す図である。
【図６】実施の形態２のタッチパネル２００の一部を示す分解図である。
【図７】実施の形態３のタッチパネル３００を示す平面図である。
【図８】図７及び図９のＣ１−Ｃ２矢視断面を示す図である。
【図９】実施の形態３のタッチパネル３００の一部を示す分解図である。
【発明を実施するための形態】
【００１２】
以下、本発明のタッチパネルを適用した実施の形態について説明する。
【００１３】
＜実施の形態１＞
図１は、実施の形態１のタッチパネル１００を示す平面図である。図２は、図１のＡ１−Ａ２矢視断面を示す図である。図３は、実施の形態１のタッチパネル１００の一部を示す分解図である。図１乃至図３では、直交座標系の一例であるＸＹＺ座標系を示す。
【００１４】
以下では、Ｚ軸正方向側の表面を上面と称し、Ｚ軸負方向側の表面を下面と称すが、上面及び下面という名称は、説明の便宜上のものであり、普遍的な上下の位置関係を示すものではない。
【００１５】
タッチパネル１００は、抵抗膜式のタッチパネルと静電容量式のタッチパネルとを含む。抵抗膜式のタッチパネルは、第１座標検出部の一例であり、静電容量式のタッチパネルは、第２座標検出部の一例である。
【００１６】
図１に示すように、タッチパネル１００は、抵抗膜式の入力領域１０１Ａと、静電容量式の入力領域１０１Ｂとを有する。抵抗膜式の入力領域１０１Ａは、抵抗膜式のタッチパネルの入力部であり、静電容量式の入力領域１０１Ｂは、静電容量式のタッチパネルの入力部である。
【００１７】
タッチパネル１００は、Ｘ軸方向（長手方向）の中央よりもＸ軸正方向側に抵抗膜式の入力領域１０１Ａを有し、Ｘ軸方向（長手方向）の中央よりもＸ軸負方向側に静電容量式の入力領域１０１Ｂを有する。
【００１８】
なお、以下では、タッチパネル１００の各構成要素について、Ｘ軸方向（長手方向）の中央よりもＸ軸正方向を抵抗膜式の領域と称し、Ｘ軸方向（長手方向）の中央よりもＸ軸負方向の領域を静電容量式の領域と称す場合がある。
【００１９】
図２に示すように、タッチパネル１００は、支持基板１１０、透明粘着層１１１、基板１２０、透明導電膜１３０Ａ、１３０Ｂ、透明粘着層１４０Ａ、１４０Ｂ、スペーサ１５０、透明導電膜１６０Ａ、１６０Ｂ、基板１７０、透明粘着層１１２、加飾フィルム１８０、及びＦＰＣ(Flexible Printed Circuit)１９０Ａ、１９０Ｂを含む。
【００２０】
支持基板１１０は、タッチパネル１００を支持する基板であり、例えば、ガラス製又はプラスチック製の透明な基板である。支持基板１１０の下には、ディスプレイが配置されるため、支持基板１１０は透明な基板材料で作製される。なお、支持基板１１０は、ディスプレイの表示面の透明なパネルであってもよい。
【００２１】
透明粘着層１１１は、支持基板１１０と基板１２０とを貼り付ける透明な粘着剤の層である。透明粘着層１１１は、透明な両面テープ、又は、透明な接着剤であってもよい。
【００２２】
基板１２０は、Ｚ軸正方向側の面（上面）に透明導電膜１３０Ａ及び１３０Ｂが形成された透明な基板であり、例えば、ガラス基板又はフィルムであればよい。基板１２０は、第１基板の一例である。
【００２３】
基板１２０の上面には、透明導電膜１３０Ａ及び１３０Ｂが形成される。特に、基板１２０がフィルム製である場合には、支持基板１１０を支持用の基板として用いればよい。
【００２４】
透明導電膜１３０Ａは、抵抗膜式のタッチパネルの下部電極になる導電膜である。透明導電膜１３０Ａは、例えば、ＩＴＯ(Indium Tin Oxide)のような透明な導電材料で形成すればよい。透明導電膜１３０Ａは、図３（Ａ）に示すように、基板１２０の上面のうち、Ｘ軸方向（長手方向）の中央よりもＸ軸正方向側の領域の一面に形成される。
【００２５】
透明導電膜１３０Ｂは、静電容量式のタッチパネルの下部電極になる導電膜である。透明導電膜１３０Ｂは、図３（Ａ）に示すように、Ｘ軸方向に伸延するストライプ状の導電膜であり、Ｙ軸方向に複数配列されている。透明導電膜１３０Ｂは、例えば、ＩＴＯのような透明な導電材料で形成すればよい。
【００２６】
透明導電膜１３０Ａ及び１３０Ｂは、基板１２０の上面の全体に形成される透明な導電膜から作製することができる。透明導電膜１３０Ａ及び１３０Ｂは、第１導電膜の一例である。基板１２０の上面の全体に形成される透明な導電膜のうち、Ｘ軸方向（長手方向）の中央よりもＸ軸正方向側の部分をパターニングせずに透明導電膜１３０Ａとして残すとともに、Ｘ軸方向（長手方向）の中央よりもＸ軸負方向側の部分をパターニングすることによって透明導電膜１３０Ｂを作製することができる。
【００２７】
なお、透明導電膜１３０Ａの上には、透明導電膜１３０Ａの端辺に沿って配線１３１Ａが接続され、基板１２０の上面のうち、静電容量式の領域には配線１３１Ｂが形成され、透明導電膜１３０Ｂに接続される。配線１３１Ａ及び１３１Ｂは、それぞれ、ＦＰＣ１９０Ａ及び１９０Ｂに接続される。
【００２８】
透明粘着層１４０Ａ及び１４０Ｂは、透明導電膜１３０Ａ及び１３０Ｂが形成された基板１２０と、透明導電膜１６０Ａ及び１６０Ｂが形成された基板１７０とを貼り付ける透明な粘着剤の層である。透明粘着層１４０Ａ及び１４０Ｂは、透明な両面テープ、又は、透明な接着剤であってもよい。
【００２９】
図３（Ｂ）に示すように、透明粘着層１４０Ａは、基板１２０及び１７０のＹ軸正方向側及びＹ軸負方向側でＸ軸方向に伸延する端辺と、Ｘ軸正方向側でＹ軸方向に伸延する端辺と（合計３つの端辺）に沿って形成され、抵抗膜式の領域において、基板１２０と基板１７０とを接合する。透明粘着層１４０Ｂは、静電容量式の領域の全体に設けられ、基板１２０と基板１７０とを接合する。
【００３０】
このため、透明粘着層１４０Ａ及び１４０Ｂは、図３（Ｂ）に示すような形状を有し、透明粘着層１４０Ａには、矩形状の開口部１４０Ａ１が形成される。透明粘着層１４０Ａ及び１４０Ｂは、貼り合わせ部材の一例である。
【００３１】
スペーサ１５０は、抵抗膜式の領域において、透明導電膜１３０Ａの上面にドット状に配設される複数のスペーサである。スペーサ１５０は、抵抗膜式の領域において、利用者による入力（押圧）が行われない状態において、透明導電膜１３０Ａと透明導電膜１６０Ａとが接触しないように、間隔を一定に保つために設けられている。スペーサ１５０は、透明な絶縁材料で形成すればよい。
【００３２】
透明導電膜１６０Ａは、抵抗膜式のタッチパネルの上部電極になる導電膜である。透明導電膜１６０Ａは、例えば、ＩＴＯような透明な導電材料で形成すればよい。透明導電膜１６０Ａは、図３（Ｃ）に示すように、基板１７０の下面のうち、Ｘ軸方向（長手方向）の中央よりもＸ軸正方向側の領域の一面に形成される。なお、図３（Ｃ）には、基板１７０の上面側から透明導電膜１６０Ａを透過的に見た状態を示す。
【００３３】
透明導電膜１６０Ｂは、静電容量式のタッチパネルの上部電極になる導電膜である。透明導電膜１６０Ｂは、図３（Ｃ）に示すように、Ｙ軸方向に伸延するストライプ状の導電膜であり、Ｘ軸方向に複数配列されている。透明導電膜１６０Ｂは、例えば、ＩＴＯのような透明な導電材料で形成すればよい。
【００３４】
透明導電膜１６０Ａ及び１６０Ｂは、基板１７０の下面の全体に形成される透明な導電膜から作製することができる。透明導電膜１６０Ａ及び１６０Ｂは、第２導電膜の一例である。基板１７０の下面の全体に形成される透明な導電膜のうち、Ｘ軸方向（長手方向）の中央よりもＸ軸正方向側の部分をパターニングせずに透明導電膜１６０Ａとして残すとともに、Ｘ軸方向（長手方向）の中央よりもＸ軸負方向側の部分をパターニングすることによって透明導電膜１６０Ｂを作製することができる。
【００３５】
なお、透明導電膜１６０Ａの下面には、透明導電膜１６０Ａの端辺に沿って配線１６１Ａが接続され、基板１７０の下面のうち、静電容量式の領域には配線１６１Ｂが形成され、透明導電膜１６０Ｂに接続される。配線１６１Ａ及び１６１Ｂは、それぞれ、ＦＰＣ１９０Ａ及び１９０Ｂに接続される。
【００３６】
基板１７０は、Ｚ軸負方向側の面（下面）に透明導電膜１６０Ａ及び１６０Ｂが形成された透明な基板であり、例えば、フィルムであればよい。基板１７０は、第２基板の一例である。
【００３７】
透明粘着層１１２は、基板１７０と加飾フィルム１８０とを貼り付ける透明な粘着剤の層である。透明粘着層１１２は、透明な両面テープ、又は、透明な接着剤であってもよい。
【００３８】
加飾フィルム１８０は、タッチパネル１００の最表面（最もＺ軸正方向側の表面）に設けられる部材であり、タッチパネル１００の操作入力を行う操作面を有する。加飾フィルム１８０は、抵抗膜式の入力領域１０１Ａと、静電容量式の入力領域１０１Ｂとの周りが黒く塗装された加飾用のフィルム部材である。
【００３９】
ＦＰＣ１９０Ａ及び１９０Ｂは、タッチパネル１００を駆動するための信号を外部からタッチパネル１００の内部に入力するとともに、抵抗膜式の入力領域１０１Ａと、静電容量式の入力領域１０１Ｂとに行われる操作入力の座標を表す信号をタッチパネル１００の外部に取り出すため二設けられている。ＦＰＣ１９０Ａは、配線１３１Ａ及び１６１Ａに接続されており、ＦＰＣ１９０Ｂは、配線１３１Ｂ及び１６１Ｂに接続されている。
【００４０】
このようなタッチパネル１００において、抵抗膜式の入力領域１０１Ａについては、配線１３１Ａ及び１６１Ａに時分割式に交互に電圧を印加し、利用者が加飾フィルム１８０の抵抗膜式の入力領域１０１Ａを押圧することによって透明導電膜１６０Ａと透明導電膜１３０Ａとが接触する点の座標を抵抗値の変化として検出することができる。
【００４１】
また、静電容量式の入力領域１０１Ｂについては、透明導電膜１３０Ｂから送信する信号を１６０Ｂで受信し、利用者が静電容量式の入力領域１０１Ｂに触れることによって透明導電膜１３０Ｂと１６０Ｂとの間の静電容量が変化する点の座標を検出することができる。
【００４２】
以上のような実施の形態１のタッチパネル１００は、抵抗膜式の入力領域１０１Ａと、静電容量式の入力領域１０１Ｂとの両方の方式の入力領域を並べて配置してある。
【００４３】
このため、例えば、アプリケーションを選択するための操作入力、又は、ボリュームを操作するための操作入力のように、操作頻度の高いＧＵＩ(Graphical User Interface)ボタンを抵抗膜式の入力領域１０１Ａに表示させれば、手袋を嵌めていても操作することができて便利である。
【００４４】
また、フリック操作、又は、複数の点における操作入力（マルチタッチ）等の操作入力を利用者に行わせるＧＵＩボタンを静電容量式の入力領域１０１Ｂに表示させれば、操作性の高い領域を提供できて利用者にとって便利である。
【００４５】
このようなＧＵＩボタン等は、タッチパネル１００の下側に配設されるディスプレイに表示させればよい。
【００４６】
従って、実施の形態１によれば、良好な操作性を実現するタッチパネル１００を提供することができる。
【００４７】
タッチパネル１００は、図３（Ｂ）に示すように、開口部１４０Ａ１を形成することにより、抵抗膜式の領域用の透明粘着層１４０Ａと、静電容量式の領域用の透明粘着層１４０Ｂとを容易に作製することができる。
【００４８】
従って、抵抗膜式の入力領域１０１Ａと、静電容量式の入力領域１０１Ｂとの両方の方式の入力領域を並べて配置したタッチパネル１００を容易かつ低コストで提供することができる。
【００４９】
また、タッチパネル１００は、１つの支持基板１１０の上に、抵抗膜式の入力領域１０１Ａと、静電容量式の入力領域１０１Ｂとの両方を設けることができるので、例えば、スマートフォン端末機、又は、タブレット型のコンピュータ等のような電子機器に、従来の抵抗膜式又は静電容量式のどちらか一方のみの検出方式によるタッチパネルと同様に、実装することができる。
【００５０】
なお、以上では、抵抗膜式の入力領域１０１Ａと、静電容量式の入力領域１０１Ｂとが平面視で矩形状のタッチパネル１００の長手方向の中央を境として配置される形態について説明した。
【００５１】
しかしながら、抵抗膜式の入力領域１０１Ａと、静電容量式の入力領域１０１Ｂとの配置パターンは、上述のような形態に限定されるものではない。例えば、抵抗膜式の入力領域１０１Ａが静電容量式の入力領域１０１Ｂよりも大きくてもよく、その逆であってもよい。
【００５２】
また、抵抗膜式の入力領域１０１Ａが静電容量式の入力領域１０１Ｂの周囲に配置されていてもよく、その逆であってもよい。
【００５３】
＜実施の形態２＞
図４は、実施の形態２のタッチパネル２００を示す平面図である。図５は、図４及び図６のＢ１−Ｂ２矢視断面を示す図である。図６は、実施の形態２のタッチパネル２００の一部を示す分解図である。図４乃至図６では、実施の形態１の図１乃至図３と同様に、直交座標系の一例であるＸＹＺ座標系を示す。
【００５４】
図４に示すように、タッチパネル２００は、抵抗膜式の入力領域２０１Ａと、静電容量式の入力領域２０１Ｂとを有する。タッチパネル２００は、Ｘ軸方向（長手方向）の中央よりもＸ軸正方向側に抵抗膜式の入力領域２０１Ａを有し、Ｘ軸方向（長手方向）の中央よりもＸ軸負方向側に静電容量式の入力領域２０１Ｂを有する。
【００５５】
実施の形態２のタッチパネル２００は、実施の形態１のタッチパネル１００の加飾フィルム１８０以外の構成要素を抵抗膜式の領域と静電容量式の領域とで分離した構成を有する。その他の構成は、実施の形態１のタッチパネル１００と同様であるため、以下では相違点を中心に説明する。
【００５６】
図５に示すように、タッチパネル２００は、基板２２０Ａ、２２０Ｂ、透明導電膜２３０Ａ、２３０Ｂ、透明粘着層２４０Ａ、２４０Ｂ、透明導電膜２６０Ａ、２６０Ｂ、基板２７０Ａ、２７０Ｂ、透明粘着層１１２、加飾フィルム１８０、及びＦＰＣ１９０Ａ、１９０Ｂを含む。
【００５７】
なお、図６は、透明粘着層１１２及び加飾フィルム１８０を取り除いた状態のタッチパネル２００の平面構成を示す図である。
【００５８】
基板２２０Ａ及び２２０Ｂは、それぞれ、Ｚ軸正方向側の面（上面）に透明導電膜２３０Ａ及び２３０Ｂが形成された透明な基板であり、例えば、ガラス基板又はフィルムであればよい。基板２２０Ａは、第１基板の一例であり、基板２２０Ｂは、第３基板の一例である。
【００５９】
基板２２０Ａは、Ｘ軸方向（長手方向）の中央よりもＸ軸正方向側の領域に配設される抵抗膜式のタッチパネル用の基板であり、基板２２０Ｂは、Ｘ軸方向（長手方向）の中央よりもＸ軸負方向側の領域に配設される静電容量式のタッチパネル用の基板である。なお、基板２２０Ａ及び２２０Ｂは、互いに独立した別個の基板であるため、材料が異なっていてもよいし、図４に示すように厚さが異なっていてもよい。
【００６０】
透明導電膜２３０Ａは、抵抗膜式のタッチパネルの下部電極になる導電膜であり、第１導電膜の一例である。透明導電膜２３０Ａは、例えば、ＩＴＯのような透明な導電材料で形成すればよい。透明導電膜２３０Ａは、基板２２０の上面に形成される。
【００６１】
透明導電膜２３０Ｂは、静電容量式のタッチパネルの下部電極になる導電膜であり、第３導電膜の一例である。透明導電膜２３０Ｂは、実施の形態１の透明導電膜１３０Ｂと同様に、Ｘ軸方向に伸延するストライプ状の導電膜であり、Ｙ軸方向に複数配列されている。透明導電膜２３０Ｂは、例えば、ＩＴＯのような透明な導電材料で形成すればよい。
【００６２】
なお、透明導電膜２３０Ａの上には、透明導電膜２３０Ａの端辺に沿って配線２３１Ａが接続され、基板２２０の上面のうち、静電容量式の領域には配線２３１Ｂが形成され、透明導電膜２３０Ｂに接続される。配線２３１Ａ及び２３１Ｂは、それぞれ、ＦＰＣ１９０Ａ及び１９０Ｂに接続される。
【００６３】
透明粘着層２４０Ａは、透明導電膜２３０Ａが形成された基板２２０と、透明導電膜２６０Ａが形成された基板２７０Ａとを貼り付ける透明な粘着剤の層であり、第１貼り合わせ部材の一例である。透明粘着層２４０Ａの平面視での形状は矩形環状である。透明粘着層２４０Ａは、透明な両面テープ、又は、透明な接着剤であってもよい。
【００６４】
透明粘着層２４０Ｂは、透明導電膜２３０Ｂが形成された基板２２０Ｂと、透明導電膜２６０Ｂが形成された基板２７０Ｂとを貼り付ける透明な粘着剤の層であり、第２貼り合わせ部材の一例である。透明粘着層２４０Ｂの平面視での形状は、基板２２０Ｂ及び２７０Ｂと同様に矩形状である。透明粘着層２４０Ｂは、透明な両面テープ、又は、透明な接着剤であってもよい。
【００６５】
透明導電膜２６０Ａは、抵抗膜式のタッチパネルの上部電極になる導電膜であり、第２導電膜の一例である。透明導電膜２６０Ａは、例えば、ＩＴＯような透明な導電材料で形成すればよい。透明導電膜２６０Ａは、基板２７０Ａの下面に形成される。
【００６６】
透明導電膜２６０Ｂは、静電容量式のタッチパネルの上部電極になる導電膜であり、第４導電膜の一例である。透明導電膜２６０Ｂは、Ｙ軸方向に伸延するストライプ状の導電膜であり、Ｘ軸方向に複数配列されている。透明導電膜２６０Ｂは、例えば、ＩＴＯのような透明な導電材料で形成すればよい。
【００６７】
なお、透明導電膜２６０Ａの下面には、端辺に沿って配線２６１Ａが接続され、基板２７０Ｂの下面には配線２６１Ｂが形成され、透明導電膜２６０Ｂに接続される。配線２６１Ａ及び２６１Ｂは、それぞれ、ＦＰＣ１９０Ａ及び１９０Ｂに接続される。
【００６８】
基板２７０Ａは、Ｚ軸負方向側の面（下面）に透明導電膜２６０Ａが形成された透明な基板であり、例えば、フィルムであればよい。基板２７０Ｂは、Ｚ軸負方向側の面（下面）に透明導電膜２６０Ｂが形成された透明な基板であり、例えば、フィルムであればよい。基板２７０Ａは、第２基板の一例であり、基板２７０Ｂは、第４基板の一例である。
【００６９】
なお、基板２７０Ａ及び２７０Ｂは、互いに独立した別個の基板であるため、材料が異なっていてもよいし、図４に示すように厚さが異なっていてもよい。
【００７０】
ここで、基板２２０Ａ、透明導電膜２３０Ａ、透明粘着層２４０Ａ、透明導電膜２６０Ａ、及び基板２７０Ａの合計の高さと、基板２２０Ｂ、透明導電膜２３０Ｂ、透明粘着層２４０Ｂ、透明導電膜２６０Ｂ、基板２７０Ｂの合計の高さとは、等しくされている。
【００７１】
このため、基板２２０Ａの下面と、基板２２０Ｂの下面とは面一であり、基板２７０Ａの上面と、基板２７０Ｂの上面とは面一である。
【００７２】
透明粘着層１１２は、基板２７０Ａ及び２７０Ｂと加飾フィルム１８０とを貼り付ける透明な粘着剤の層である。透明粘着層１１２は、透明な両面テープ、又は、透明な接着剤であってもよい。
【００７３】
このようなタッチパネル２００において、抵抗膜式の入力領域２０１Ａについては、配線２３１Ａ及び２６１Ａに時分割式に交互に電圧を印加し、利用者が加飾フィルム１８０の抵抗膜式の入力領域２０１Ａを押圧することによって透明導電膜２６０Ａと透明導電膜２３０Ａとが接触する点の座標を抵抗値の変化として検出することができる。
【００７４】
また、静電容量式の入力領域２０１Ｂについては、透明導電膜２３０Ｂから送信する信号を２６０Ｂで受信し、利用者が静電容量式の入力領域２０１Ｂに触れることによって透明導電膜２３０Ｂと２６０Ｂとの間の静電容量が変化する点の座標を検出することができる。
【００７５】
以上のような実施の形態２のタッチパネル２００は、抵抗膜式の入力領域２０１Ａと、静電容量式の入力領域２０１Ｂとの両方の方式の入力領域を並べて配置してある。
【００７６】
このため、例えば、アプリケーションを選択するための操作入力、又は、ボリュームを操作するための操作入力のように、操作頻度の高いＧＵＩ(Graphical User Interface)ボタンを抵抗膜式の入力領域２０１Ａに表示させれば、手袋を嵌めていても操作することができて便利である。
【００７７】
また、フリック操作、又は、複数の点における操作入力（マルチタッチ）等の操作入力を利用者に行わせるＧＵＩボタンを静電容量式の入力領域２０１Ｂに表示させれば、操作性の高い領域を提供できて利用者にとって便利である。
【００７８】
このようなＧＵＩボタン等は、タッチパネル２００の下側に配設されるディスプレイに表示させればよい。
【００７９】
従って、実施の形態２によれば、良好な操作性を実現するタッチパネル２００を提供することができる。
【００８０】
タッチパネル２００は、図５に示すように、別々の基板２２０Ａと、基板２２０Ｂとの上に、それぞれ、透明導電膜２３０Ａ、透明粘着層２４０Ａ、透明導電膜２６０Ａ、及び基板２７０Ａと、透明導電膜２３０Ｂ、透明粘着層２４０Ｂ、透明導電膜２６０Ｂ、基板２７０Ｂとを重ねて、透明粘着層１１２で加飾フィルム１８０の下面に貼り付けた構成を有する。
【００８１】
このため、独立した抵抗膜式のタッチパネルと静電容量式のタッチパネルとを合わせることによって、タッチパネル２００を作製することができる。
【００８２】
従って、製造上の自由度が高く、様々な組み合わせの抵抗膜式のタッチパネルと静電容量式のタッチパネルとを容易に合わせて一つのタッチパネル２００を作製することができる。
【００８３】
また、タッチパネル２００は、抵抗膜式の入力領域２０１Ａと、静電容量式の入力領域２０１Ｂとの両方の厚さを揃えているので、例えば、スマートフォン端末機、又は、タブレット型のコンピュータ等のような電子機器に、従来の抵抗膜式又は静電容量式のどちらか一方のみの検出方式によるタッチパネルと同様に、実装することができる。
【００８４】
なお、以上では、抵抗膜式の入力領域２０１Ａと、静電容量式の入力領域２０１Ｂとが平面視で矩形状のタッチパネル２００の長手方向の中央を境として配置される形態について説明した。
【００８５】
しかしながら、抵抗膜式の入力領域２０１Ａと、静電容量式の入力領域２０１Ｂとの配置パターンは、上述のような形態に限定されるものではない。例えば、抵抗膜式の入力領域２０１Ａが静電容量式の入力領域２０１Ｂよりも大きくてもよく、その逆であってもよい。
【００８６】
また、抵抗膜式の入力領域２０１Ａが静電容量式の入力領域２０１Ｂの周囲に配置されていてもよく、その逆であってもよい。
【００８７】
また、抵抗膜式の入力領域２０１Ａと、静電容量式の入力領域２０１Ｂとの両方の厚さを揃えた形態について説明したが、厚さが異なっていてもよい。
【００８８】
また、透明導電膜２３０Ａの上面にスペーサ１５０（図２参照）を設けてもよい。
【００８９】
＜実施の形態３＞
図７は、実施の形態３のタッチパネル３００を示す平面図である。図８は、図７及び図９のＣ１−Ｃ２矢視断面を示す図である。図９は、実施の形態３のタッチパネル３００の一部を示す分解図である。図７乃至図９では、直交座標系の一例であるＸＹＺ座標系を示す。
【００９０】
図７に示すように、タッチパネル３００は、抵抗膜式の入力領域３０１Ａと、静電容量式の入力領域３０１Ｂとを有する。タッチパネル３００は、Ｘ軸方向（長手方向）の中央よりもＸ軸正方向側に抵抗膜式の入力領域３０１Ａを有し、Ｘ軸方向（長手方向）の中央よりもＸ軸負方向側に静電容量式の入力領域３０１Ｂを有する。
【００９１】
実施の形態３のタッチパネル３００は、抵抗膜式のタッチパネルの上に、静電容量式のタッチパネルを重ねて配置した構成を有する。抵抗膜式のタッチパネルは、Ｘ軸方向（長手方向）の中央よりもＸ軸正方向側のみを使用し、Ｘ軸方向（長手方向）の中央よりもＸ軸負方向側は使用しない。これとは逆に、静電容量式のタッチパネルは、Ｘ軸方向（長手方向）の中央よりもＸ軸負方向側のみを使用し、Ｘ軸方向（長手方向）の中央よりもＸ軸正方向側は使用しない。
【００９２】
なお、以下では、タッチパネル３００の各構成要素について、Ｘ軸方向（長手方向）の中央よりもＸ軸正方向を抵抗膜式の領域と称し、Ｘ軸方向（長手方向）の中央よりもＸ軸負方向の領域を静電容量式の領域と称す場合がある。
【００９３】
図８に示すように、タッチパネル３００は、基板３２０Ａ、３２０Ｂ、透明導電膜３３０Ａ、３３０Ｂ、３３０Ｃ、透明粘着層３４０Ａ、３４０Ｂ、スペーサ３５０Ａ、スペーサシート３５０Ｂ、透明導電膜３６０Ａ、３６０Ｂ、３６０Ｃ、基板３７０Ａ、３７０Ｂ、透明粘着層３１１、透明粘着層１１２、加飾フィルム１８０、及びＦＰＣ１９０Ａ、１９０Ｂを含む。
【００９４】
なお、図９（Ａ）は、透明導電膜３３０Ａ、スペーサ３５０Ａ、スペーサシート３５０Ｂ、配線３３１Ａの位置関係を平面視で示す図であり、図９（Ｂ）は、透明導電膜３３０Ｂ、３３０Ｃ、透明導電膜３６０Ｂ、３６０Ｃ、配線３３１Ｂ、３６１Ｂの位置関係を平面視で示す図である。
【００９５】
基板３２０Ａは、Ｚ軸正方向側の面（上面）に透明導電膜３３０Ａが形成された透明な基板であり、例えば、ガラス基板又はフィルムであればよい。基板３２０Ａは、第１基板の一例である。
【００９６】
透明導電膜３３０Ａは、抵抗膜式のタッチパネルの下部電極になる導電膜であり、第１導電膜の一例である。透明導電膜３３０Ａは、例えば、ＩＴＯのような透明な導電材料で形成すればよい。透明導電膜３３０Ａは、図９（Ａ）に示すように、基板３２０Ａの上面の一面に形成される。
【００９７】
透明導電膜３３０Ａの上には、透明導電膜３３０Ａの端辺に沿って配線３３１Ａが接続される。配線３３１Ａは、ＦＰＣ１９０Ａに接続される。
【００９８】
透明粘着層３４０Ａは、透明導電膜３３０Ａが形成された基板３２０Ａと、透明導電膜３６０Ａが形成された基板３７０Ａとを貼り付ける透明な粘着剤の層であり、第１貼り合わせ部材の一例である。透明粘着層３４０Ａは、透明な両面テープ、又は、透明な接着剤であってもよい。透明粘着層３４０Ａは、透明導電膜３３０Ａの四つの端辺に沿って、矩形環状に形成される。透明粘着層３４０Ａの中央部には、矩形状の開口部が形成される。
【００９９】
スペーサ３５０Ａは、図９（Ａ）に示すように、抵抗膜式の領域において、透明導電膜３３０Ａの上面にドット状に配設される複数のスペーサである。スペーサ３５０Ａは、抵抗膜式の領域において、利用者による入力（押圧）が行われない状態において、透明導電膜３３０Ａと透明導電膜３６０Ａとが接触しないように、間隔を一定に保つために設けられている。スペーサ３５０Ａは、透明な絶縁材料で形成すればよい。
【０１００】
スペーサシート３５０Ｂは、図９（Ａ）に示すように、静電容量式の領域において、透明導電膜３３０Ａの上面の一面に配設されるシート状のスペーサであり、第２領域絶縁層の一例である。スペーサシート３５０Ｂは、静電容量式の領域において、透明導電膜３３０Ａと透明導電膜３６０Ａとが接触しないように、間隔を一定に保ち、静電容量式の領域において、透明導電膜３３０Ａと透明導電膜３６０Ａとによって操作入力の座標が検出されないようにするために設けられている。
【０１０１】
スペーサシート３５０Ｂは、スペーサ３５０Ａを形成するための透明な絶縁材料と同一の絶縁材料で形成することができる。
【０１０２】
すなわち、透明導電膜３３０Ａの上面の一面に、例えば、透明なレジスト膜を形成し、抵抗膜式の領域でレジスト膜をパターニングしてスペーサ３５０Ａを形成し、静電容量式の領域でレジスト膜をパターニングせずに残してスペーサシート３５０Ｂとして用いればよい。
【０１０３】
透明導電膜３６０Ａは、抵抗膜式のタッチパネルの上部電極になる導電膜であり、第２導電膜の一例である。透明導電膜３６０Ａは、例えば、ＩＴＯような透明な導電材料で形成すればよい。透明導電膜３６０Ａは、基板３７０Ａの下面の一面に形成される。
【０１０４】
基板３７０Ａは、Ｚ軸負方向側の面（下面）に透明導電膜３６０Ａが形成された透明な基板であり、例えば、フィルムであればよい。基板３７０Ａは、第２基板の一例である。
【０１０５】
透明粘着層３１１は、基板３７０Ａと基板３２０Ｂとを貼り付ける透明な粘着剤の層である。透明粘着層３１１は、透明な両面テープ、又は、透明な接着剤であってもよい。
【０１０６】
基板３２０Ｂは、Ｚ軸正方向側の面（上面）の静電容量式の領域に透明導電膜３３０Ｂが形成されるとともに、上面の抵抗膜式の領域に透明導電膜３３０Ｃが形成された透明な基板であり、例えば、ガラス基板又はフィルムであればよい。
【０１０７】
透明導電膜３３０Ｂは、静電容量式のタッチパネルの下部電極になる導電膜であり、第３導電膜の一例である。透明導電膜３３０Ｂは、図９（Ｂ）に示すように、Ｘ軸方向に伸延するストライプ状の導電膜であり、Ｙ軸方向に複数配列されている。透明導電膜３３０Ｂは、例えば、ＩＴＯのような透明な導電材料で形成すればよい。
【０１０８】
透明導電膜３３０Ｃは、図９（Ｂ）に示すように、基板３２０Ｂの上面の抵抗膜式の領域の一面に形成される。透明導電膜３３０Ｃは、第５導電膜の一例である。透明導電膜３３０Ｃを基板３２０Ｂの上面の抵抗膜式の領域の一面に形成するのは、抵抗膜式の領域に静電容量式のタッチパネルを形成しないためである。
【０１０９】
透明導電膜３３０Ｂと透明導電膜３３０Ｃは、同一の透明な導電材料で形成することができる。
【０１１０】
すなわち、基板３２０Ｂの上面の一面に、例えば、透明な導電膜を形成し、静電容量式の領域で導電膜をパターニングして透明導電膜３３０Ｂを形成し、抵抗膜式の領域で導電膜をパターニングせずに残して透明導電膜３３０Ｃとして用いればよい。
【０１１１】
なお、基板３２０Ｂの上面のうち、静電容量式の領域には配線３３１Ｂが形成され、透明導電膜３３０Ｂに接続される。配線３３１Ｂは、ＦＰＣ１９０Ｂに接続される。
【０１１２】
透明粘着層３４０Ｂは、透明導電膜３３０Ｂ及び３３０Ｃが形成される基板３２０Ｂと、透明導電膜３６０Ｂ及び３６０Ｃが形成される基板３７０Ｂとを貼り付ける透明な粘着剤の層であり、第２貼り合わせ部材の一例である。
【０１１３】
透明導電膜３６０Ｂは、静電容量式の領域に設けられ、静電容量式のタッチパネルの上部電極になる導電膜であり、第４導電膜の一例である。透明導電膜３６０Ｂは、図９（Ｂ）に示すように、Ｙ軸方向に伸延するストライプ状の導電膜であり、Ｘ軸方向に複数配列されている。透明導電膜３６０Ｂは、例えば、ＩＴＯのような透明な導電材料で形成すればよい。
【０１１４】
透明導電膜３６０Ｃは、基板３７０Ｂの下面の抵抗膜式の領域の一面に形成される導電膜である。透明導電膜３６０Ｃは、第６導電膜の一例である。透明導電膜３６０Ｃを基板３７０Ｂの下面の抵抗膜式の領域の一面に形成するのは、抵抗膜式の領域に静電容量式のタッチパネルを形成しないためである。
【０１１５】
透明導電膜３６０Ｂと透明導電膜３６０Ｃは、基板３７０Ｂの下面の全体に形成される透明な導電膜から作製することができる。基板３７０Ｂの下面の全体に形成される透明な導電膜のうち、Ｘ軸方向（長手方向）の中央よりもＸ軸正方向側の部分をパターニングせずに透明導電膜３６０Ｃとして残すとともに、Ｘ軸方向（長手方向）の中央よりもＸ軸負方向側の部分をパターニングすることによって透明導電膜３６０Ｂを作製することができる。
【０１１６】
なお、基板３７０Ｂの下面のうち、静電容量式の領域には配線３６１Ｂが形成され、透明導電膜３６０Ｂに接続される。配線３６１Ｂは、１９０Ｂに接続される。
【０１１７】
基板３７０Ｂは、Ｚ軸負方向側の面（下面）に透明導電膜３６０Ｂ及び３６０Ｃが形成された透明な基板であり、例えば、フィルムであればよい。基板３７０Ｂは、第４基板の一例である。
【０１１８】
透明粘着層１１２は、基板３７０Ｂと加飾フィルム１８０とを貼り付ける透明な粘着剤の層である。透明粘着層１１２は、透明な両面テープ、又は、透明な接着剤であってもよい。
【０１１９】
このようなタッチパネル３００において、抵抗膜式の入力領域３０１Ａについては、配線３３１Ａ及び１６１Ａに時分割式に交互に電圧を印加し、利用者が加飾フィルム１８０の抵抗膜式の入力領域３０１Ａを押圧することによって透明導電膜３６０Ａと透明導電膜３３０Ａとが接触する点の座標を抵抗値の変化として検出することができる。
【０１２０】
また、静電容量式の入力領域３０１Ｂについては、透明導電膜３３０Ｂから送信する信号を３６０Ｂで受信し、利用者が静電容量式の入力領域３０１Ｂに触れることによって透明導電膜３３０Ｂと３６０Ｂとの間の静電容量が変化する点の座標を検出することができる。
【０１２１】
以上のような実施の形態３のタッチパネル３００は、抵抗膜式の入力領域３０１Ａと、静電容量式の入力領域３０１Ｂとの両方の方式の入力領域を並べて配置してある。
【０１２２】
このため、例えば、アプリケーションを選択するための操作入力、又は、ボリュームを操作するための操作入力のように、操作頻度の高いＧＵＩボタンを抵抗膜式の入力領域３０１Ａに表示させれば、手袋を嵌めていても操作することができて便利である。
【０１２３】
また、フリック操作、又は、複数の点における操作入力（マルチタッチ）等の操作入力を利用者に行わせるＧＵＩボタンを静電容量式の入力領域３０１Ｂに表示させれば、操作性の高い領域を提供できて利用者にとって便利である。
【０１２４】
このようなＧＵＩボタン等は、タッチパネル３００の下側に配設されるディスプレイに表示させればよい。
【０１２５】
従って、実施の形態３によれば、良好な操作性を実現するタッチパネル３００を提供することができる。
【０１２６】
タッチパネル３００は、基板３２０Ａ、透明導電膜３３０Ａ、透明粘着層３４０Ａ、スペーサ３５０Ａ、透明導電膜３６０Ａ、及び基板３７０Ａによって構築される抵抗膜式のタッチパネルの上に、基板３２０Ｂ、透明導電膜３３０Ｂ、透明粘着層３４０Ｂ、透明導電膜３６０Ｂ、及び基板３７０Ｂによって構築される静電容量式のタッチパネルを重ねることによって作製される。
【０１２７】
また、抵抗膜式のタッチパネルのうちの静電容量式の領域内に位置する部分は、スペーサシート３５０Ｂによって機能しないようにされている。また、静電容量式のタッチパネルのうちの抵抗膜式の領域内に位置する部分は、パターニングせずに一面に形成される透明導電膜３３０Ｃ及び３６０Ｃによって機能しないようにされている。
【０１２８】
このため、抵抗膜式の入力領域３０１Ａに行われる操作入力の座標は、抵抗膜式のタッチパネルによって検出され、静電容量式の入力領域３０１Ｂに行われる操作入力の座標は、静電容量式のタッチパネルによって検出される。
【０１２９】
従って、抵抗膜式の入力領域３０１Ａと、静電容量式の入力領域３０１Ｂとの両方の方式の入力領域を並べて配置したタッチパネル３００を容易かつ低コストで提供することができる。
【０１３０】
また、抵抗膜式のタッチパネルの上に静電容量式のタッチパネルを重ねてあるので、抵抗膜式の入力領域３０１Ａと静電容量式の入力領域３０１Ｂとの境界において、操作性がより良好なタッチパネル３００を提供することができる。
【０１３１】
また、説明の便宜上、図７には、抵抗膜式の入力領域３０１Ａと、静電容量式の入力領域３０１Ｂとの境界を破線で示すが、境界は見た目には目立ち難いので、タッチパネル３００の下側に配設されるディスプレイの画像は、境界近傍でも鮮明である。
【０１３２】
また、タッチパネル３００は、例えば、スマートフォン端末機、又は、タブレット型のコンピュータ等のような電子機器に、従来の抵抗膜式又は静電容量式のどちらか一方のみの検出方式によるタッチパネルと同様に、実装することができる。
【０１３３】
なお、以上では、抵抗膜式の入力領域３０１Ａと、静電容量式の入力領域３０１Ｂとが平面視で矩形状のタッチパネル３００の長手方向の中央を境として配置される形態について説明した。
【０１３４】
しかしながら、抵抗膜式の入力領域３０１Ａと、静電容量式の入力領域３０１Ｂとの配置パターンは、上述のような形態に限定されるものではない。例えば、抵抗膜式の入力領域３０１Ａが静電容量式の入力領域３０１Ｂよりも大きくてもよく、その逆であってもよい。
【０１３５】
また、抵抗膜式の入力領域３０１Ａが静電容量式の入力領域３０１Ｂの周囲に配置されていてもよく、その逆であってもよい。
【０１３６】
また、以上では、抵抗膜式のタッチパネルの上に静電容量式のタッチパネルを重ねる形態について説明したが、その逆であってもよい。
【０１３７】
以上、本発明の例示的な実施の形態のタッチパネルについて説明したが、本発明は、具体的に開示された実施の形態に限定されるものではなく、特許請求の範囲から逸脱することなく、種々の変形や変更が可能である。
【符号の説明】
【０１３８】
１００  タッチパネル
１１０  支持基板
１１１  透明粘着層
１２０  基板
１３０Ａ、１３０Ｂ  透明導電膜
１３１Ａ、１３１Ｂ  配線
１４０Ａ、１４０Ｂ  透明粘着層
１５０  スペーサ
１６０Ａ、１６０Ｂ  透明導電膜
１６１Ａ、１６１Ｂ  配線
１７０  基板
１１２  透明粘着層
１８０  加飾フィルム
１９０Ａ、１９０Ｂ  ＦＰＣ
２００  タッチパネル
２２０Ａ、２２０Ｂ  基板
２３０Ａ、２３０Ｂ  透明導電膜
２３１Ａ、２３１Ｂ  配線
２４０Ａ、２４０Ｂ  透明粘着層
２６０Ａ、２６０Ｂ  透明導電膜
２６１Ａ、２６１Ｂ  配線
２７０Ａ、２７０Ｂ  基板
３００  タッチパネル
３２０Ａ、３２０Ｂ  基板
３３０Ａ、３３０Ｂ、３３０Ｃ  透明導電膜
３３１Ａ、３３１Ｂ  配線
３４０Ａ、３４０Ｂ  透明粘着層
３５０Ａ  スペーサ
３５０Ｂ  スペーサシート
３６０Ａ、３６０Ｂ、３６０Ｃ  透明導電膜
３６１Ａ、３６１Ｂ  配線
３７０Ａ、３７０Ｂ  基板
３１１  透明粘着層
【図１】
2016177663.tif 000003
【図２】
2016177663.tif 000004
【図４】
2016177663.tif 000005
【図５】
2016177663.tif 000006
【図７】
2016177663.tif 000007
【図８】
2016177663.tif 000008
【図３】
2016177663.tif 000009
【図６】
2016177663.tif 000010
【図９】
2016177663.tif 000011